(57)【要約】【課題】柱型を有する間仕切壁において、一方の居室の音が他方の居室に音が漏れることを解消することのできる間仕切壁を提供すること。【解決手段】第一居室と第二居室を隔てる間仕切壁２００は、柱１０と、第一スタッド２０Ａ及び第二スタッド２０Ｂと、第一居室用壁パネル３０Ａ，３２Ａ，３４Ａ及び第二居室用壁パネル３０Ｂ，３２Ｂ，３４Ｂとを有し、柱の一部は、第一居室と第二居室の双方の室内側に張り出し、柱１０と柱１０の周囲にある第一スタッド２０Ａに亘り第一防音下地材６０Ａが配設されて第一スタッド２０Ａに固定され、第一防音下地材６０Ａに第一居室用壁パネル３０Ａ，３２Ａ，３４Ａが取り付けらており、柱１０と柱１０の周囲にある第二スタッド２０Ｂに亘り第二防音下地材６０Ｂが配設されて第二スタッド２０Ｂに固定され、第二防音下地材６０Ｂに第二居室用壁パネル３０Ｂ，３２Ｂ，３４Ｂが取り付けられている。【選択図】図３
2020200596.tif 000002
【特許請求の範囲】
【請求項１】
隣接する第一居室と第二居室を隔てる間仕切壁であって、
前記間仕切壁は、柱と、該柱の周囲において相互に隙間を置いて配設されている第一スタッド及び第二スタッドと、第一居室用壁パネル及び第二居室用壁パネルと、を有し、
前記柱の一部は、前記第一居室と前記第二居室の双方の室内側に張り出しており、
前記柱と該柱の周囲にある前記第一スタッドに亘り、第一防音下地材が配設されて該第一スタッドに固定され、該第一防音下地材に前記第一居室用壁パネルが取り付けらており、
前記柱と該柱の周囲にある前記第二スタッドに亘り、第二防音下地材が配設されて該第二スタッドに固定され、該第二防音下地材に前記第二居室用壁パネルが取り付けられていることを特徴とする、間仕切壁。
【請求項２】
前記柱の左右位置には、前記第一スタッドと前記第二スタッドがそれぞれ二つ設けられており、
前記柱を跨いで左右の前記第一スタッドに亘り断面形状がハット型の前記第一防音下地材が配設されており、
前記柱を跨いで左右の前記第二スタッドに亘り断面形状がハット型の前記第二防音下地材が配設されていることを特徴とする、請求項１に記載の間仕切壁。
【請求項３】
前記柱の室内側の側方位置と、該柱の外壁側の側方位置には、前記第一スタッドと前記第二スタッドがそれぞれ二つ設けられており、
前記柱を跨いで二つの前記第一スタッドに亘り断面形状がＷ型の前記第一防音下地材が配設されており、
前記柱を跨いで二つの前記第二スタッドに亘り断面形状がＷ型の前記第二防音下地材が配設されていることを特徴とする、請求項１に記載の間仕切壁。
【請求項４】
前記第一防音下地材と前記第二防音下地材が鋼板により形成されていることを特徴とする、請求項１乃至３のいずれか一項に記載の間仕切壁。
【請求項５】
前記柱の周囲に吸音材が配設されていることを特徴とする、請求項１乃至４のいずれか一項に記載の間仕切壁。
【発明の詳細な説明】
【技術分野】
【０００１】
本発明は、間仕切壁に関する。
【背景技術】
【０００２】
建物においては、内部空間を二つに仕切る間仕切壁が一般に適用されており、例えば集合住宅（長屋や共同住宅）においては、間仕切壁に含まれる界壁により隣接する居室が隔てられている。間仕切壁には遮音性が要求されるものがあるが、その中でも界壁には高い遮音性能が要求されている。
【０００３】
間仕切壁においては、石膏ボード等による内装材の室内面がフラットな状態で柱やスタッド（間柱）に対してビス等により固定される壁構造が一般的であり、柱を跨ぐようにして一枚の平坦な内装材が配設され、この内装材は、柱と、柱の左右側方にある複数のスタッドに対して固定される。このような一般的な構造の間仕切壁に対して、柱のサイズ（断面寸法）が大きくなった場合でも柱の位置を固定しながら室内空間を可及的に広くしたい等の要請から、例えば、柱の一部が室内側に張り出した、柱型を有する間仕切壁が適用される場合がある。
【０００４】
ここで、従来の柱型を有する間仕切壁に含まれる界壁の一例を図１及び図２に示す。図１等に示す界壁１００は、第一居室と第二居室を隔てた柱型を有する界壁である。界壁１００は、角形鋼管等により形成されている柱１０と、柱１０の長手方向に間隔を置いて配設され、柱１０に対して溶接等により接続されている断面形状がＴ字状の複数の縦下地ピース１５と、縦下地ピース１５に対してビス等の固定手段１９により固定されている第一スタッド２０Ａ及び第二スタッド２０Ｂとを有する。第一スタッド２０Ａと第二スタッド２０Ｂは、相互に当接してサウンドブリッジを形成しないように、隙間を有して配設されている。第一スタッド２０Ａ及び第二スタッド２０Ｂはそれぞれ、界壁１００の幅方向であるＹ方向に間隔を置いて複数配設されており、複数の第一スタッド２０Ａには界壁の一般部の第一居室用壁パネル３０Ａ（内装材）が固定手段１９により固定され、複数の第二スタッド２０Ｂには界壁の一般部の第二居室用壁パネル３０Ｂが固定手段１９により固定されている。
【０００５】
界壁１００が柱型を有していることから、柱１０の左右にある第一居室用壁パネル３０Ａには、直交するようにして短尺な第一居室用壁パネル３２Ａが配設され、第一居室用壁パネル３０Ａとともに共通の縦桟１７に対して固定手段１９により固定されている。さらに、左右の第一居室用壁パネル３２Ａに跨るようにして、第一居室用壁パネル３４Ａが配設され、第一居室用壁パネル３２Ａとともに共通の縦桟１７に対して固定手段１９により固定されている。各第一居室用壁パネル３０Ａ，３２Ａ，３４Ａは、耐火性能を担保するべく、例えば二枚の石膏ボード等により形成されている。このような第一居室側の構造と同様の構造が、第二居室側においても適用されている。柱１０と、その周囲の第一居室用壁パネル３２Ａ，３４Ａや第二居室用壁パネル３２Ｂ，３４Ｂの間には、隙間Ｇが形成されている。さらに、界壁１００の一般部を形成する第一居室用壁パネル３０Ａと第二居室用壁パネル３０Ｂの間には、吸音材５０が充填されている。
【０００６】
図１は縦下地ピース１５が存在する横断面図であり、これに対して、図２は縦下地ピース１５が存在しない（上下の縦下地ピース１５に挟まれた位置における）横断面図である。
【０００７】
図１に戻り、柱型を有する界壁１００においては、図示するように、複数の第一居室用壁パネル３０Ａ，３２Ａ，３４Ａ同士の当接する界面が存在することから、第一居室において発生した音は、これらの界面を通してＸ１方向やＸ１'方向に透過して柱１０の周囲の隙間Ｇに入り込み易くなる。このように柱１０の周囲の隙間Ｇに入り込んだ音は、柱１０の左側に示すように、サウンドブリッジを形成する縦下地ピース１５を介してＸ２方向に伝達され、第二居室用壁パネル３０Ｂ，３２Ｂ，３４Ｂ同士の当接する界面をＸ３方向やＸ３'方向に透過して第二居室に漏れ易い。
【０００８】
一方、図２に示すように、サウンドブリッジとなる縦下地ピース１５が存在しない断面においては、柱１０の周囲の隙間Ｇに入り込んだ音が、柱１０の周囲の隙間Ｇを第二居室へＸ５方向に透過し、第二居室用壁パネル３０Ｂ，３２Ｂ，３４Ｂ同士の当接する界面をＸ３方向やＸ３'方向に透過して第二居室に漏れ易くなる。尚、図１及び図２では、第一居室の音が第二居室に漏れることを説明しているが、同様に第二居室の音が第一居室にも漏れることになる。
【０００９】
このように、柱型を有する界壁１００においては、サウンドブリッジとなる縦下地ピース１５が存在する断面においても、また、サウンドブリッジとなる縦下地ピース１５が存在しない断面においても、一方の居室から柱１０の周囲の隙間Ｇに入り込んだ音が隙間Ｇを透過して他方の居室に漏れ、遮音性能が低下し得ることいった課題を有している。
【００１０】
ここで、隣り合う第一空間および第二空間を仕切る仕切り線に沿って配置される基礎部材と、基礎部材の一方面側および他方面側にそれぞれ固定される面部材とを備える、乾式壁（界壁や間仕切壁）が提案されている。より具体的には、基礎部材は、第一空間側において、弱軸配置構造により仕切り線に沿って間隔を置いて整列する複数の第一のスタッドと、第二空間側において、弱軸配置構造により隣接する第一のスタッドと表裏方向に所定の隙間を有して重なるように、仕切り線に沿って間隔を置いて整列する複数の第二のスタッドとを含んでいる（例えば、特許文献１参照）。
【先行技術文献】
【特許文献】
【００１１】
【特許文献１】特開２０１４−１１８７７７号公報
【発明の概要】
【発明が解決しようとする課題】
【００１２】
特許文献１に記載される乾式壁によれば、壁の厚みを増大させることなく、遮音性能と壁の強度とを両立することができる。しかしながら、上記するように、柱型を有する間仕切壁において、一方の居室の音が居室用壁パネル同士の当接面から柱の周囲の隙間に入り込み、サウンドブリッジを介した音の透過や隙間を介した音の透過により、他方の居室に音が漏れることを解消する手段を開示するものではない。
【００１３】
本発明は上記する課題に鑑みてなされたものであり、柱型を有する間仕切壁において、一方の居室の音が居室用壁パネル同士の当接面から柱の周囲の隙間に入り込み、サウンドブリッジを介した音の透過や隙間を介した音の透過により、他方の居室に音が漏れることを解消することのできる間仕切壁を提供することを目的としている。
【課題を解決するための手段】
【００１４】
前記目的を達成すべく、本発明による間仕切壁の一態様は、
隣接する第一居室と第二居室を隔てる間仕切壁であって、
前記間仕切壁は、柱と、該柱の周囲において相互に隙間を置いて配設されている第一スタッド及び第二スタッドと、第一居室用壁パネル及び第二居室用壁パネルと、を有し、
前記柱の一部は、前記第一居室と前記第二居室の双方の室内側に張り出しており、
前記柱と該柱の周囲にある前記第一スタッドに亘り、第一防音下地材が配設されて該第一スタッドに固定され、該第一防音下地材に前記第一居室用壁パネルが取り付けらており、
前記柱と該柱の周囲にある前記第二スタッドに亘り、第二防音下地材が配設されて該第二スタッドに固定され、該第二防音下地材に前記第二居室用壁パネルが取り付けられていることを特徴とする。
【００１５】
本態様によれば、柱と柱の周囲にあるスタッドに亘り、防音下地材が配設されてスタッドに固定されるとともに、防音下地材に居室用壁パネル（内装材）が取り付けられていることにより、複数の居室用壁パネル同士の界面からの音の漏れを防音下地材により遮蔽することができる。より具体的には、例えば、一方の居室にて発生した音が複数の居室用壁パネル同士の界面を介して柱の周囲の隙間へ透過する途中位置において、防音下地材が存在することにより、界面における音の透過を防音下地材により遮音することができる。このように、柱の周囲の隙間への音の透過が遮音されていることから、音が柱の周囲の隙間を透過して他方の居室に漏れることが解消される。また、仮に柱の周囲の隙間へ音が透過した場合でも、他方の居室側の防音下地材が他方の居室への音の漏れを遮断することにより、同様に他方の居室に音が漏れることが解消される。
【００１６】
また、柱周りにある複数の居室用壁パネルを防音下地材に取り付けることができるため、防音下地材により複数の居室用壁パネルの一体化を図ることができる。すなわち、柱型を有する間仕切壁においては、一般的な間仕切壁のように、柱を跨ぐようにして一枚の平坦な居室用壁パネルを配設して柱とその左右にあるスタッドに取り付けることができないため、柱周りでは柱型に適応するようにして複数の居室用壁パネルが相互に当接しながら配設される。この際、柱とスタッドは離れて配設されていることから、複数の居室用壁パネルを柱やスタッドに個別に取り付けるには、多大な施工手間が生じ得る。本態様では、柱型に対応した断面形状の防音下地材が柱の左右にあるスタッドに固定されていることにより、複数の居室用壁パネルを防音下地材に対して効率的に取り付けることができる。
【００１７】
また、本発明による間仕切壁の他の態様において、前記柱の左右位置には、前記第一スタッドと前記第二スタッドがそれぞれ二つ設けられており、
前記柱を跨いで左右の前記第一スタッドに亘り断面形状がハット型の前記第一防音下地材が配設されており、
前記柱を跨いで左右の前記第二スタッドに亘り断面形状がハット型の前記第二防音下地材が配設されていることを特徴とする。
【００１８】
本態様によれば、間仕切壁の一般部において、柱を跨いで左右の第一スタッドと第二スタッドに対してそれぞれ、断面形状がハット型の第一防音下地材と第二防音下地材が配設されていることにより、間仕切壁の一般部における遮音と、効率的な居室用壁パネルの取り付けを実現することができる。
【００１９】
また、本発明による間仕切壁の他の態様は、前記柱の室内側の側方位置と、該柱の外壁側の側方位置には、前記第一スタッドと前記第二スタッドがそれぞれ二つ設けられており、
前記柱を跨いで二つの前記第一スタッドに亘り断面形状がＷ型の前記第一防音下地材が配設されており、
前記柱を跨いで二つの前記第二スタッドに亘り断面形状がＷ型の前記第二防音下地材が配設されていることを特徴とする。
【００２０】
本態様によれば、間仕切壁と外壁の取り合い部に柱型がある場合において、柱の室内側の側方位置と、柱の外壁側の側方位置にあるスタッドに亘り断面形状がＷ型の防音下地材が配設されていることにより、間仕切壁の外壁側の端部における遮音と、効率的な居室用壁パネルの取り付けを実現することができる。
【００２１】
また、本発明による間仕切壁の他の態様は、前記第一防音下地材と前記第二防音下地材が鋼板により形成されていることを特徴とする。
【００２２】
本態様によれば、鋼板により形成されている防音下地材を適用することにより、鋼板は比較的軽量で剛性があることから、高い遮音性が奏される。また、柱の室内側に鋼板により形成されている防音下地材が配設されていることにより、室内における火災時の熱風に対して柱を防護することができ、柱の耐火性を向上させることができる。特に、ハット型やＷ型の鋼板が、柱の室内側の側面のみならず、柱の左右のスタッドにまで延設していることにより、柱の室内側の側面を熱風から防護するのみならず、柱の左右の側面も熱風から防護することができ、従って柱の全体を熱風から防護することが可能になる。このように、鋼板は、柱型に適用するように複数の内装材を固定できる好適な剛性があり、遮音性能に優れ、例えば１０００℃程度の熱風に対しても柱を防護できる耐火性能を有する部材であること、さらには、汎用品であることから材料費が高価にならないこと等、本態様の間仕切壁において好適な部材となる。
【００２３】
また、本発明による間仕切壁の他の態様は、前記柱の周囲に吸音材が配設されていることを特徴とする。
【００２４】
本態様によれば、柱の周囲の隙間に吸音材が配設されていることにより、防音下地材による遮音性能と吸音材による吸音性能が相俟って、一方の居室から他方の居室への音漏れをより一層効果的に解消することができる。尚、間仕切壁の一般部にグラスウール等により形成される吸音材が充填されている場合に、柱の周囲にも同様の素材の吸音材を充填することができる。
【発明の効果】
【００２５】
以上の説明から理解できるように、本発明の間仕切壁によれば、柱型を有する間仕切壁において、一方の居室の音が居室用壁パネル同士の当接面から柱の周囲の隙間に入り込み、サウンドブリッジを介した音の透過や隙間を介した音の透過により、他方の居室に音が漏れることを解消することができる。
【図面の簡単な説明】
【００２６】
【図１】従来の柱型を有する間仕切壁に含まれる界壁の一例の横断面図であって、柱とスタッドを繋ぐサウンドブリッジを介して第一居室から第二居室に音が透過している状態をともに示す図である。
【図２】図１に対応する横断面図であって、柱とスタッドの間の隙間を介して第一居室から第二居室に音が透過している状態をともに示す図である。
【図３】第１の実施形態に係る間仕切壁の一例の横断面図である。
【図４】第一防音下地材（または第二防音下地材）の一例の斜視図である。
【図５】第１の実施形態に係る間仕切壁の変形例の横断面図である。
【図６】第２の実施形態に係る間仕切壁の一例の横断面図である。
【図７】第一防音下地材（または第二防音下地材）の一例の斜視図である。
【図８】第２の実施形態に係る間仕切壁の変形例の横断面図である。
【発明を実施するための形態】
【００２７】
以下、各実施形態に係る壁構造について、添付の図面を参照しながら説明する。尚、本明細書及び図面において、実質的に同一の構成要素については、同一の符号を付することにより重複した説明を省く場合がある。
【００２８】
［第１の実施形態に係る間仕切壁］
はじめに、図３及び図４を参照して、第１の実施形態に係る間仕切壁の一例について説明する。ここで、図３は、第１の実施形態に係る間仕切壁の一例の横断面図であり、図４は、第一防音下地材（または第二防音下地材）の一例の斜視図である。以下、図３等においては、間仕切壁に含まれる界壁を取り上げて説明する。
【００２９】
図３に示す界壁２００は、第一居室と第二居室を隔てた柱型を有する界壁の一般部であり、図３は柱とその周囲を拡大して示している。界壁２００は、角形鋼管等により形成されている柱１０と、柱１０との間に隙間を有して配設されている第一スタッド２０Ａ及び第二スタッド２０Ｂとを有する。第一スタッド２０Ａと第二スタッド２０Ｂは、例えば溝形鋼（リップ付き溝形鋼を含む）等の形鋼材により形成されている。図１に示す従来の柱型を有する界壁１００と異なり、界壁２００では、サウンドブリッジを形成する縦下地ピース１５が存在せず、柱１０と、第一スタッド２０Ａ及び第二スタッド２０Ｂとは完全に縁切りされている。
【００３０】
第一スタッド２０Ａと第二スタッド２０Ｂは、相互に当接してサウンドブリッジを形成しないように、隙間を有して配設されている。第一スタッド２０Ａ及び第二スタッド２０Ｂはそれぞれ、界壁２００の幅方向に間隔を置いて複数配設されており、複数の第一スタッド２０Ａには界壁の一般部の第一居室用壁パネル３０Ａがビス１９により固定され、複数の第二スタッド２０Ｂには界壁の一般部の第二居室用壁パネル３０Ｂがビス１９により固定されている。界壁２００の幅方向に間隔を置いて配設されている複数の第一スタッド２０Ａは、上下にあるランナー（図示せず）に取り付けられており、間隔を置いて配設されている複数の第二スタッド２０Ｂも同様に、上下にある別途のランナー（図示せず）に取り付けられている。そして、第一居室用壁パネル３０Ａと第二居室用壁パネル３０Ｂの間には、例えばグラスウール等により形成される吸音材５０が充填されている。
【００３１】
界壁２００は柱型を有しているが、柱１０を跨いで左右にある一組の第一スタッド２０Ａに亘り、断面形状がハット型の第一防音下地材６０Ａが配設されている。図４に示すように、第一防音下地材６０Ａ（及び第二防音下地材６０Ｂ）は、平面視矩形の鋼板を、断面形状がハット型となるように折り曲げ加工することにより形成され、左右の第一片６１と、第一片６１に直交する第二片６２と、左右の第二片６２を繋ぐ第三片６３とを有する。尚、第一防音下地材６０Ａや第二防音下地材６０Ｂは、鋼板以外にも、硬質の樹脂等から形成されてもよいが、可及的に薄厚かつ硬質で遮音性に優れ、断熱性にも優れ、さらにはコストも安価な鋼板から形成されているのが好ましい。
【００３２】
一般部の第一居室用壁パネル３０Ａは、第一防音下地材６０Ａの有する第一片６１に面接触しながら第一片６１に直交する第二片６２まで延設し、第一居室用壁パネル３０Ａと第一片６１が第一スタッド２０Ａに対してビス１９により固定されている。
【００３３】
第二片６２には、細幅の第一居室用壁パネル３２Ａが面接触し、その端部が第一居室用壁パネル３０Ａと当接した状態で第二片６２に対してビス１９により固定されている。
【００３４】
また、第三片６３には、左右の第一居室用壁パネル３２Ａに跨る第一居室用壁パネル３４Ａが面接触し、第三片６３に対してビス１９により固定されている。
【００３５】
このように、柱１０の周りにハット型の第一防音下地材６０Ａが配設されていることにより、柱１０の周りにある複数の第一居室用壁パネル３０Ａ，３２Ａ，３４Ａを第一防音下地材６０Ａに対して一体に取り付けることができる。
【００３６】
各第一居室用壁パネル３０Ａ，３２Ａ，３４Ａは、耐火性能を担保するべく、例えば二枚の石膏ボード等により形成されている。このような第一居室側の構造と同様の構造が、第二居室側においても適用されている。すなわち、柱１０の周りにハット型の第二防音下地材６０Ｂが配設され、第二防音下地材６０Ｂに対して第二居室用壁パネル３０Ｂ，３２Ｂ，３４Ｂが取り付けられ、第二防音下地材６０Ｂにより複数の第二居室用壁パネル３０Ｂ，３２Ｂ，３４Ｂの一体化が図られている。
【００３７】
図３からも明らかなように、柱型に対応した第一防音下地材６０Ａや第二防音下地材６０Ｂが、柱１０の左右にある第一スタッド２０Ａや第二スタッド２０Ｂに固定されることにより、複数の第一居室用壁パネル３０Ａ，３２Ａ，３４Ａや第二居室用壁パネル３０Ｂ，３２Ｂ，３４Ｂを、第一防音下地材６０Ａと第二防音下地材６０Ｂに対して効率的に取り付けることができる。
【００３８】
また、内装材３０Ａ等が石膏ボードから形成される場合には、石膏ボードの室内側の側面において、一般に、石膏ボードの継ぎ目等にパテ処理等の下地調整が施された後にクロスが貼り付けられる。具体的には、第一居室用壁パネル３０Ａ，３２Ａ，３４Ａの室内側の側面に連続するようにクロスが貼り付けられ、同様に、第二居室用壁パネル３０Ｂ，３２Ｂ，３４Ｂの室内側の側面に連続するようにクロスが貼り付けられる。複数の内装材３０Ａ等が共通の部材に一体的に固定されていないと、相互に当接する内装材３０Ａ，３２Ａ，３４Ａ同士（もしくは内装材３０Ｂ，３２Ｂ，３４Ｂ同士）の相対変位により、クロスに皺が生じ易くなるが、界壁２００においてはこのようなクロスの皺の発生も抑制することができる。
【００３９】
図１を用いて既に説明したように、従来の柱型を有する界壁１００においては、複数の第一居室用壁パネル３０Ａ，３２Ａ，３４Ａ同士の当接する界面が存在することから、例えば、第一居室において発生した音は、これらの界面を透過して柱１０の周囲の隙間Ｇに入り込み、サウンドブリッジを形成する縦下地ピース１５を介して伝達され、第二居室用壁パネル３０Ｂ，３２Ｂ，３４Ｂ同士の当接する界面を透過して第二居室に漏れ易くなる。
【００４０】
しかしながら、界壁２００においては、柱１０と柱１０の周囲にある第一スタッド２０Ａに亘り、第一防音下地材６０Ａが配設されて第一スタッド２０Ａに固定されるとともに、第一防音下地材６０Ａに内装材３０Ａ，３２Ａ，３４Ａが取り付けられていることにより、複数の内装材３０Ａ，３２Ａ，３４Ａ同士の界面を介してＸ１方向、Ｘ１'方向に透過する音を、第一防音下地材６０Ａにより遮蔽することができる。
【００４１】
同様に、第二居室側においても、複数の内装材３０Ｂ，３２Ｂ，３４Ｂ同士の界面を介してＸ１方向、Ｘ１'方向に透過する音を、第二防音下地材６０Ｂにより遮蔽することができる。
【００４２】
このように、柱１０の周囲の隙間Ｇへの音の透過が第一防音下地材６０Ａと第二防音下地材６０Ｂにより遮蔽されていることから、一方の居室にて発生した音がサウンドブリッジや隙間Ｇを介して透過して他方の居室に漏れることが解消される。
【００４３】
また、図５は、第１の実施形態に係る間仕切壁（界壁）の変形例の横断面図である。図示する界壁２００Ｂは、柱１０の周囲の隙間Ｇに、グラスウール等により形成される吸音材５０Ａが充填されている。
【００４４】
界壁２００Ａによれば、柱１０の周囲の隙間Ｇに吸音材５０Ａが配設されていることにより、第一防音下地材６０Ａや第二防音下地材６０Ｂによる遮音性能と、吸音材５０Ａによる吸音性能が相俟って、一方の居室から他方の居室への音漏れをより一層効果的に解消することができる。尚、吸音材５０Ａは、吸音性能に加えて断熱性能を有していてもよい。
【００４５】
［第２の実施形態に係る間仕切壁］
次に、図６及び図７を参照して、第２の実施形態に係る間仕切壁の一例について説明する。ここで、図６は、第２の実施形態に係る間仕切壁の一例の横断面図であり、図７は、第一防音下地材（または第二防音下地材）の一例の斜視図である。以下、図３等と同様に、間仕切壁に含まれる界壁を取り上げて説明する。
【００４６】
図６に示す界壁２００Ｂは、第一居室と第二居室を隔てた柱型を有する界壁と外壁の取り合い部であり、図６は柱とその周囲を拡大して示している。
【００４７】
図示するように、外壁から柱１０が居室側に張り出して柱型を形成しており、柱１０の右側には図５にて既に示す界壁の一般部が延びている。柱１０の室内側の側方位置と、柱１０の外壁側の側方位置にはそれぞれ、溝形鋼により形成される第一スタッド２０Ａ及び第二スタッド２０Ｂと、角形鋼管により形成される第一スタッド２１Ａ及び第二スタッド２１Ｂが設けられている。そして、柱１０を跨いで二つの第一スタッド２０Ａ，２１Ａに亘り、断面形状がＷ型の第一防音下地材６０Ｃが配設され、同様に、柱１０を跨いで二つの第二スタッド２０Ｂ，２１Ｂに亘り、断面形状がＷ型の第二防音下地材６０Ｄが配設されている。
【００４８】
ここで、外壁の構造について説明すると、柱１０の屋外側には、形鋼材（図示例は溝形鋼）が枠状に組み付けられたフレーム部材７７が配設されており、フレーム部材７７の内側には、グラスウールやロックウール等が充填されることにより形成される断熱材８０が配設され、断熱材８０の屋外側には、グラスウールボード等により形成される下張材７５が配設されている。左右の枠状のフレーム部材７７を形成する縦桟の界面は外壁の縦目地７２に対応する位置に配設されており、左右の縦桟に対して、それぞれに固有の下張材７５とポリスチレンフォーム板等により形成される外装下地材７４がビス７８により固定されている。
【００４９】
左右の外装下地材７４の屋外側には外装材７１が取り付けられており、左右の外装材７１の間の縦目地７２には乾式のガスケット等による止水材７３が嵌め込まれている。この止水材７３は軸方向に二組の係合止水片を左右に張り出しており、一組の係合止水片を左右の外装材７１の端面に係合させることにより一次止水部を形成するとともに、他の一組の係合止水片を下張材７５に係合させることにより二次止水部を形成している。尚、外装材７１は、窯業系もしくは金属系のサイディングボードにより形成される外装パネルからなる。また、外装材７１と下張材７５の間には、外気に通じている通気層７６が形成されている。さらに、断熱材８０と内装材３６Ａの間はエア断熱層となっているが、エア断熱層に替えて、さらに一層もしくは二層の充填断熱材層が形成されてもよい。
【００５０】
図７に示すように、第一防音下地材６０Ｃ（及び第二防音下地材６０Ｄ）は、平面視矩形の鋼板を、断面形状がＷ型となるように折り曲げ加工することにより形成され、左端の第一片６４と、第一片６４に直交する第二片６５と、第二片６５に直交する第三片６６と、第三片６６に直交する第四片６５とを有し、第一片６４と第三片６６が相互に平行の関係にあり、第二片６５と第四片６７が相互に平行の関係にある。
【００５１】
外壁の内装材となる第一居室用壁パネル３６Ａは、第一防音下地材６０Ｃの有する第一片６４に面接触しながら第一片６４に直交する第二片６５まで延設し、第一居室用壁パネル３６Ａと第一片６４が第一スタッド２１Ａに対してビス１９により固定されている。
【００５２】
第二片６５には、第一居室用壁パネル３４Ａが面接触し、その端部が第一居室用壁パネル３６Ａと当接した状態で第二片６５に対してビス１９により固定されている。
【００５３】
また、第三片６６には、左右の第一居室用壁パネル３４Ａ、３０Ａに跨る細幅の第一居室用壁パネル３２Ａが面接触し、第三片６６に対してビス１９により固定されている。
【００５４】
さらに、界壁の一般部を形成する第一居室用壁パネル３０Ａは、第四片６７に面接触しながら第三片６６まで延設し、第一居室用壁パネル３０Ａと第四片６７が第一スタッド２０Ａに対してビス１９により固定されている。
【００５５】
このように、外壁との取り合い部における柱１０の周りにＷ型の第一防音下地材６０Ｃが配設されていることにより、柱１０の周りにある複数の第一居室用壁パネル３０Ａ，３２Ａ，３４Ａ，３６Ａを第一防音下地材６０Ｃに対して一体に取り付けることができる。このような第一居室側の構造と同様の構造が、第二居室側においても適用されている。すなわち、柱１０の周りにＷ型の第二防音下地材６０Ｄが配設され、第二防音下地材６０Ｄに対して第二居室用壁パネル３０Ｂ，３２Ｂ，３４Ｂ，３６Ｂが取り付けられ、第二防音下地材６０Ｄにより複数の第二居室用壁パネル３０Ｂ，３２Ｂ，３４Ｂ，３６Ｂの一体化が図られている。
【００５６】
図６からも明らかなように、柱型に対応した第一防音下地材６０Ｃや第二防音下地材６０Ｄが、柱１０の左右にある第一スタッド２０Ａ，２１Ａや第二スタッド２０Ｂ，２１Ｂに固定されることにより、複数の第一居室用壁パネル３０Ａ，３２Ａ，３４Ａ，３６Ａや第二居室用壁パネル３０Ｂ，３２Ｂ，３４Ｂ，３６Ｂを、第一防音下地材６０Ｃと第二防音下地材６０Ｄに対して効率的に取り付けることができる。
【００５７】
また、柱１０と柱１０の周囲にある第一スタッド２０Ａ，２１Ａに亘り、第一防音下地材６０Ｃが配設されて第一スタッド２０Ａ，２１Ａに固定されるとともに、第一防音下地材６０Ｃに内装材３０Ａ，３２Ａ，３４Ａ，３６Ａが取り付けられていることにより、複数の内装材３０Ａ，３２Ａ，３４Ａ，３６Ａ同士の界面を介してＸ６方向、Ｘ６'方向、Ｘ６"方向に透過する音を、第一防音下地材６０Ｃにより遮蔽することができる。
【００５８】
同様に、第二居室側においても、複数の内装材３０Ｂ，３２Ｂ，３４Ｂ，３６Ｂ同士の界面を介してＸ６方向、Ｘ６'方向、Ｘ６"方向に透過する音を、第二防音下地材６０Ｄにより遮蔽することができる。
【００５９】
このように、柱１０の周囲の隙間Ｇへの音の透過が第一防音下地材６０Ｃと第二防音下地材６０Ｄにより遮音されていることから、一方の居室にて発生した音がサウンドブリッジや隙間Ｇを介して透過して他方の居室に漏れることが解消される。
【００６０】
また、図８は、第２の実施形態に係る間仕切壁（界壁）の変形例の横断面図である。図示する界壁２００Ｃは、柱１０の周囲の隙間Ｇに、グラスウール等により形成される吸音材５０Ａが充填されている。
【００６１】
界壁２００Ｃによれば、柱１０の周囲の隙間Ｇに吸音材５０Ａが配設されていることにより、第一防音下地材６０Ｃや第二防音下地材６０Ｄによる遮音性能と、吸音材５０Ａによる吸音性能が相俟って、一方の居室から他方の居室への音漏れをより一層効果的に解消することができる。
【００６２】
尚、上記実施形態に挙げた構成等に対し、その他の構成要素が組み合わされるなどした他の実施形態であってもよく、また、本発明はここで示した構成に何等限定されるものではない。この点に関しては、本発明の趣旨を逸脱しない範囲で変更することが可能であり、その応用形態に応じて適切に定めることができる。
【符号の説明】
【００６３】
１０：柱（角形鋼管）、１５：縦下地ピース、１７：縦桟、１９：ビス（固定手段）、２０Ａ，２１Ａ：第一スタッド、２０Ｂ，２１Ｂ：第二スタッド、３０Ａ，３２Ａ，３４Ａ，３６Ａ：第一居室用壁パネル（内装材）、３０Ｂ，３２Ｂ，３４Ｂ，３６Ｂ：第二居室用壁パネル（内装材）、５０，５０Ａ：吸音材、６０Ａ，６０Ｃ：第一防音下地材、６０Ｂ，６０Ｄ：第二防音下地材、７１：外装材、７２：縦目地、７３：ガスケット、７４：スペーサー、７５：下張材、７６：通気層、７７：フレーム部材、７８：ビス（固定手段）、８０：断熱材、２００，２００Ａ，２００Ｂ，２００Ｃ：間仕切壁（界壁）、Ｇ：隙間
【図１】
2020200596.tif 000003
【図２】
2020200596.tif 000004
【図３】
2020200596.tif 000005
【図４】
2020200596.tif 000006
【図５】
2020200596.tif 000007
【図６】
2020200596.tif 000008
【図７】
2020200596.tif 000009
【図８】
2020200596.tif 000010